(57)【要約】電光板運営コンピュータを備えた電光板運営システムにおいて、前記電光板運営コンピュータは、電光板に広告すべき広告ファイルをネットワークを介して受信する入力手段と、前記広告ファイルを格納する第１格納手段と、前記第１格納手段に格納された前記広告ファイルを処理し、広告計画目録を作成して前記第１格納手段に格納するための電光板運営プログラムが格納された第２格納手段と、前記広告ファイル及び前記電光板に対する制御信号を伝送する出力手段と、前記電光板運営プログラムを実行して前記広告計画目録及び前記制御信号を生成する中央処理処置とを備えている。このシステムにあっては、複数の広告を受信してディスプレーすることにより、複数の電光板が効果的に管理される。【選択図】図２
2004504636.tif 000002
【特許請求の範囲】
【請求項１】
電光板運営コンピュータを備えた電光板運営システムであって、前記電光板運営コンピュータが、
電光板に広告すべき広告ファイルをネットワークを介して受信する入力手段と、
前記広告ファイルを格納する第１格納手段と、
前記第１格納手段に格納された前記広告ファイルを処理し、広告計画目録を作成して前記第１格納手段に格納するための電光板運営プログラムが格納された第２格納手段と、
前記広告ファイル及び前記電光板に対する制御信号を伝送する出力手段と、
前記電光板運営プログラムを実行して前記広告計画目録及び前記制御信号を生成する中央処理処置と、
を備えていることを特徴とする電光板運営システム。
【請求項２】
前記広告ファイル及び前記制御信号の伝送を受けて電光板に広告をディスプレーする電光板制御手段をさらに備えることを特徴とする請求項１に記載の電光板運営システム。
【請求項３】
前記電光板運営コンピュータは、前記入力手段を介して広告受付データの入力を受けて、前記広告受付データを前記第１格納手段に格納することを特徴とする請求項１に記載の電光板運営システム。
【請求項４】
前記広告受付データは、広告依頼者，広告ディスプレー期間，広告ディスプレー時刻，及び広告ディスプレー場所を包含することを特徴とする請求項３に記載の電光板運営システム。
【請求項５】
前記電光板運営プログラムは、前記広告ディスプレー場所に応じて前記広告ファイルを分類し、前記分類された広告ファイルが広告ディスプレー期間及び広告ディスプレー時刻の順に整列された広告計画目録を作成して前記第１格納手段に格納することを特徴とする請求項１又は４に記載の電光板運営システム。
【請求項６】
前記電光板運営プログラムは、前記第１格納手段に予め格納された広告計画目録をリードし、前記入力された広告ファイル及び広告受付データを追加して新しい広告計画目録を作成することを特徴とする請求項５に記載の電光板運営システム。
【請求項７】
前記電光板運営プログラムは、前記予め格納された広告計画目録から前記広告ディスプレー期間及び広告ディスプレー時間を経過した広告ファイル及び広告受付データを削除して、新しい広告計画目録を作成することを特徴とする請求項６に記載の電光板運営システム。
【請求項８】
前記電光板運営プログラムは、前記電光板運営コンピュータから伝送された広告ファイルが前記電光板制御手段によって電光板にディスプレーされた回数を追加包含する広告ディスプレー目録を作成することを特徴とする請求項１又は２に記載の電光板運営システム。
【請求項９】
電光板運営室コンピュータを備えた電光板運営システムであって、前記電光板運営室コンピュータが、
電光板に広告すべき広告ファイルをネットワークを介して受信する入力手段と、
前記入力手段から受信された広告ファイルを格納する第１格納手段と、
前記第１格納手段に格納された前記広告ファイルを処理し、広告計画目録を作成して前記第１格納手段に格納するための電光板運営室プログラムが格納された第２格納手段と、
前記広告計画目録をネットワークを介して伝送する出力手段と、
前記電光板運営室プログラムを実行して前記広告ファイル目録を作成する中央処理処置と、
を備えていることを特徴とする電光板運営システム。
【請求項１０】
前記電光板運営室コンピュータは、前記電光板を制御する電光板制御手段に連結された電光板運営コンピュータに前記広告計画目録を伝送することを特徴とする請求項９に記載の電光板運営システム。
【請求項１１】
前記電光板運営室コンピュータは、前記入力手段を介して広告受付データの入力を受けて前記第１格納手段に格納することを特徴とする請求項９に記載の電光板運営システム。
【請求項１２】
前記広告受付データは、広告依頼者，広告ディスプレー期間，広告ディスプレー時刻，及び広告ディスプレー場所を包含することを特徴とする請求項１１に記載の電光板運営システム。
【請求項１３】
前記電光板運営室プログラムは、前記広告ディスプレー場所に応じて前記広告ファイルを分類し、前記分類された広告ファイルが広告ディスプレー期間及び広告ディスプレー時刻の順に整列された広告計画目録を作成して前記第２格納手段に格納することを特徴とする請求項９又は１２に記載の電光板運営システム。
【請求項１４】
前記電光板運営室プログラムは、前記第２格納手段に予め格納された広告計画目録をリードし、前記入力された広告ファイル及び広告受付データを追加して新しい広告計画目録を作成することを特徴とする請求項１３に記載の電光板運営システム。
【請求項１５】
前記電光板運営室プログラムは、前記予め格納された広告計画目録から前記広告ディスプレー期間及び広告ディスプレー時間を経過した広告ファイル及び広告受付データを削除し、新しい広告計画目録を作成することを特徴とする請求項１４に記載の電光板運営システム。
【請求項１６】
電光板運営コンピュータ及び電光板運営室コンピュータを備えた電光板運営システムであって、前記電光板運営コンピュータが、
電光板に広告すべき広告ファイルをネットワークを介して受信する第１入力手段と、
前記広告ファイルを格納する第１格納手段と、
前記第１格納手段に格納された広告ファイルを処理し、広告計画目録を生成して第１格納手段に格納するための電光板運営プログラムが格納された第２格納手段と、
前記広告ファイル及び前記電光板に対する制御信号を伝送する第１出力手段と、
前記電光板運営プログラムを実行して前記広告計画目録及び前記制御信号を発生する第１中央処理処置と、
を備え、電光板運営室コンピュータが、
電光板に広告すべき広告ファイルをネットワークを介して受信する第２入力手段と、
前記第２入力手段から受信された広告ファイルを格納する第３格納手段と、
前記第３格納手段に格納された広告ファイルを処理し、広告計画目録を作成して前記第３格納手段に格納するための電光板運営室プログラムが格納された第４格納手段と、
前記広告計画目録をネットワークを介して伝送する第２出力手段と、
前記電光板運営室プログラムを実行して前記広告ファイル目録を作成する第２中央処理処置と、
を備えることを特徴とする電光板運営システム。
【請求項１７】
前記広告ファイル及び制御信号の伝送を受けて電光板に広告をディスプレーさせる電光板制御手段をさらに備えることを特徴とする請求項１６に記載の電光板運営システム。
【請求項１８】
前記電光板運営コンピュータ及び前記電光板運営室コンピュータは、前記第１入力手段及び前記第２入力手段を介してそれぞれ広告受付データを受信して、前記第１格納手段及び第３格納手段にそれぞれ格納することを特徴とする請求項１６に記載の電光板運営システム。
【請求項１９】
前記広告受付データは、広告依頼者，広告ディスプレー期間，広告ディスプレー時刻，及び広告ディスプレー場所を包含することを特徴とする請求項１９に記載の電光板運営システム。
【請求項２０】
前記電光板運営プログラム及び前記電光板運営室プログラムは、それぞれ前記広告ディスプレー場所に応じて前記広告ファイルを分類し、前記分類された広告ファイルが広告ディスプレー期間及び広告ディスプレー時刻の順に整列された広告計画目録をそれぞれ作成して前記第１格納手段及び第３格納手段にそれぞれ格納することを特徴とする請求項１６又は１９に記載の電光板運営システム。
【請求項２１】
前記電光板運営プログラム及び前記電光板運営室プログラムは、前記第１格納手段及び前記第３格納手段にそれぞれ予め格納された広告計画目録をリードし、前記入力された広告ファイル及び広告受付データを追加して新しい広告計画目録をそれぞれ作成することを特徴とする請求項２０に記載の電光板運営システム。
【請求項２２】
前記電光板運営プログラム及び電光板運営室プログラムは、前記予め格納された広告計画目録から前記広告ディスプレー期間及び広告ディスプレー時間を経過した広告ファイル及び広告受付データをそれぞれ削除し、新しい広告計画目録をそれぞれ作成することを特徴とする請求項２１に記載の電光板運営システム。
【請求項２３】
前記電光板運営室コンピュータは、前記広告計画目録のうちで、所定の電光板運営コンピュータによって制御される電光板制御手段のための広告計画目録を前記電光板コンピュータに伝送することを特徴とする請求項１６又は１７に記載の電光板運営システム。
【請求項２４】
前記電光板運営コンピュータは、前記伝送を受けた広告計画目録を包含する新しい広告計画目録を作成することを特徴とする請求項２３に記載の電光板運営システム。
【請求項２５】
前記電光板運営コンピュータは、前記広告計画目録を前記電光板運営室コンピュータの要請によって前記電光板運営室コンピュータに伝送することを特徴とする請求項１６に記載の電光板運営システム。
【請求項２６】
前記電光板運営室コンピュータは、前記伝送された広告計画目録を包含する新しい広告計画目録を作成することを特徴とする請求項２５に記載の電光板運営システム。
【請求項２７】
前記電光板運営プログラムは、前記電光板運営コンピュータから伝送された広告ファイルが前記電光板制御手段によって電光板にディスプレーされた回数を追加包含する広告ディスプレー目録を作成することを特徴とする請求項１６又は１７に記載の電光板運営システム。
【請求項２８】
前記広告ファイルは、ＭＰＥＧ−２であることを特徴とする請求項１，９及び１６の何れか１項に記載の電光板運営システム。
【請求項２９】
前記電光板運営システムは、前記広告ファイルをＭＰＥＧ−２ファイルに変換させるＭＰＥＧ−２エンコーダを追加包含することを特徴とする請求項１，９及び１６の何れか１項に記載の電光板運営システム。
【請求項３０】
前記広告ファイルをビデオ信号に変化させるＭＰＥＧ−２デコーダを追加包含することを特徴とする請求項１，９及び１６の何れか１項に記載の電光板運営システム。
【請求項３１】
電光板を制御する電光板制御手段と、前記電光板制御手段に広告ファイル及び制御信号を伝送する電光板運営コンピュータとを備える電光板運営システムに適用される電光板運営方法であって、
前記電光板運営コンピュータによって広告ファイルを受信して格納するステップと、
前記電光板運営コンピュータによって広告受付データを受信して格納するステップと、
前記入力された広告ファイル及び広告受付データを包含する広告計画目録を作成して格納するステップと、
前記広告計画目録に応じて、前記広告ファイルをディスプレーするステップと、
を含むことを特徴とする電光板運営方法。
【請求項３２】
前記広告ファイルは、圧縮ファイル形態であることを特徴とする請求項３１に記載の電光板運営方法。
【請求項３３】
前記広告受付データは、前記広告ファイルがディスプレーされる前記電光板の選択，広告依頼者，広告ディスプレー期間，広告ディスプレー時刻，及び回数を包含することを特徴とする請求項３１に記載の電光板運営方法。
【請求項３４】
前記広告計画目録は、前記広告ファイルを前記広告受付データの前記選択された電光板に応じて分類し、かつ、前記分類された広告ファイルを広告ディスプレー期間及び広告ディスプレー時刻の順に整列させるような仕様にて作成されたものであることを特徴とする請求項３３に記載の電光板運営方法。
【請求項３５】
前記広告ファイルをディスプレーするステップは、
前記電光板運営コンピュータが現在の日時を算定するサブステップと、
前記広告計画目録から前記現在の日時に対応する広告ファイルを検索するサブステップと、
前記検索された広告ファイルをビデオ信号に変換して前記電光板制御手段に伝送するサブステップと、
を含むことを特徴とする請求項３１又は３３に記載の電光板運営方法。
【請求項３６】
前記電光板制御手段に伝送されて前記電光板にディスプレーされた前記広告ファイルを包含する広告ディスプレー目録を作成することを特徴とする請求項３５に記載の電光板運営方法。
【請求項３７】
前記電光板運営方法は、前記広告ファイルの圧縮を解除してビデオファイルに変換させるステップを包含することを特徴とする請求項３１又は３２に記載の電光板運営方法。
【請求項３８】
前記広告計画目録は、予め格納された広告計画目録をリードし、前記入力された広告ファイル及び広告受付データを追加することにより作成されることを特徴とする請求項３４に記載の電光板運営方法。
【請求項３９】
前記広告計画目録は、予め格納された広告計画目録から前記広告ディスプレー期間及び広告ディスプレー時刻を経過した広告ファイル及び広告受付データを削除して作成されることを特徴とする請求項３４に記載の電光板運営方法。
【請求項４０】
電光板運営コンピュータに連結された電光板運営室コンピュータを備える電光板運営システムに適用される電光板運営方法であって、
前記電光板運営室コンピュータによって広告ファイルを受信するステップと、
前記電光板運営室コンピュータによって広告受付データを受信するステップと、
前記入力された広告ファイル及び広告受付データを包含する広告計画目録を作成するステップと、
前記広告計画目録を前記電光板運営コンピュータに伝送するステップと、
を含むことを特徴とする電光板運営方法。
【請求項４１】
前記広告ファイルは、圧縮ファイル形態であることを特徴とする請求項４０に記載の電光板運営方法。
【請求項４２】
前記広告受付データは、前記広告ファイルがディスプレーされる前記電光板の選択，広告依頼者，広告ディスプレー期間，広告ディスプレー時刻，及び回数を包含することを特徴とする請求項４０に記載の電光板運営方法。
【請求項４３】
前記広告計画目録は、前記広告ファイルを前記広告受付データの前記選択された電光板に応じて分類し、前記分類された広告ファイルを広告ディスプレー期間及び広告ディスプレー時刻の順に整列させるような仕様で作成されたものであることを特徴とする請求項４２に記載の電光板運営方法。
【請求項４４】
前記伝送ステップは、前記電光板運営室コンピュータが所定の時間間隔で前記電光板運営コンピュータに該当する広告計画目録を伝送することを特徴とする請求項４０に記載の電光板運営方法。
【請求項４５】
前記広告ファイルの圧縮を解除してビデオファイルに変換させるステップをさらに包含することを特徴とする請求項４０又は４１に記載の電光板運営方法。
【請求項４６】
前記広告計画目録は、予め格納された広告計画目録をリードし、前記入力された広告ファイル及び広告受付データを追加することにより作成されることを特徴とする請求項４４に記載の電光板運営方法。
【請求項４７】
電光板を制御する電光板制御手段と、前記電光板制御手段に広告ファイル及び制御信号を伝送する電光板運営コンピュータと、前記電光板運営コンピュータに連結された電光板運営室コンピュータとを備える電光板運営システムに適用される電光板運営方法であって、
前記電光板運営コンピュータ及び前記電光板運営室コンピュータがそれぞれ広告ファイルを受信して格納するステップと、
前記電光板運営コンピュータ及び前記電光板運営室コンピュータがそれぞれ広告受付データを受信して格納するステップと、
前記電光板運営コンピュータ及び前記電光板運営室コンピュータがそれぞれ前記入力された広告ファイル及び広告受付データを包含する広告計画目録を作成して格納するステップと、
前記電光板運営コンピュータが作成した前記広告計画目録によって前記広告ファイルをディスプレーするステップと、
を含むことを特徴とする電光板運営方法。
【請求項４８】
前記広告受付データは、前記広告ファイルがディスプレーされる前記電光板の選択，広告依頼者，広告ディスプレー期間，広告ディスプレー時刻，及び回数を包含することを特徴とする請求項４７に記載の電光板運営方法。
【請求項４９】
前記広告計画目録は、前記広告ファイルを前記広告受付データの前記選択された電光板に応じて分類し、前記分類された広告ファイルを広告ディスプレー期間及び広告ディスプレー時刻の順に整列させるような仕様で作成されたものであることを特徴とする請求項４８に記載の電光板運営方法。
【請求項５０】
前記電光板運営室コンピュータが作成した前記広告計画目録を、前記電光板を制御する電光板制御手段に連結された電光板運営コンピュータに伝送することを特徴とする請求項４９に記載の電光板運営方法。
【請求項５１】
前記電光板運営コンピュータが作成した前記広告計画目録を、前記電光板運営室コンピュータに伝送することを特徴とする請求項４８又は５０に記載の電光板運営方法。
【請求項５２】
前記電光板運営室コンピュータは、前記伝送された広告計画目録を包含する新しい広告計画目録を作成して格納することを特徴とする請求項５１に記載の電光板運営方法。
【請求項５３】
前記広告ファイルをディスプレーするステップは、
前記電光板運営コンピュータが現在の日時を算定するサブステップと、
前記広告計画目録から前記現在の日時に対応する広告ファイルを検索するサブステップと、
前記検索された広告ファイルをビデオ信号に変換して前記電光板制御手段に伝送するサブステップと、
を含むことを特徴とする請求項４７又は４９に記載の電光板運営方法。
【請求項５４】
前記電光板制御手段に伝送された後に前記電光板にディスプレーされる前記広告ファイルを包含する広告ディスプレー目録を作成することを特徴とする請求項５３に記載の電光板運営方法。
【請求項５５】
前記広告計画目録は、予め格納された広告計画目録をリードし、前記入力された広告ファイル及び広告受付データを追加することにより作成されることを特徴とする請求項４９に記載の電光板運営方法。
【請求項５６】
前記広告計画目録は、予め格納された広告計画目録から前記広告ディスプレー期間及び広告ディスプレー時刻を経過した広告ファイル及び広告受付データを削除して作成されることを特徴とする請求項４９に記載の電光板運営方法。
【請求項５７】
前記広告ファイルを受信して格納するステップは、圧縮ファイルに変換するサブステップを含むことを特徴とする請求項３１，４０及び４７の何れか１項に記載の電光板運営方法。
【請求項５８】
前記広告ファイルをビデオファイルに変換させて前記電光板制御手段に伝送するステップをさらに含むことを特徴とする請求項３１，４０及び４７の何れか１項に記載の電光板運営方法。
【発明の詳細な説明】
【０００１】
【発明の属する技術分野】
１．発明の分野
本発明は、インターネットを利用した電光板運営システム及びその運営方法に関し、さらに詳しくは、広告ファイル及び広告受付データをインターネットを介して受信しかつ広告計画目録を生成するための電光板運営プログラムを備えることにより、複数の電光板に対する複数の広告の受信及びディスプレー（表示）を效率的に管理し維持し得る、電光板運営システム及びその運営方法に関するものである。
【０００２】
２．背景技の説明
従来の電光板運営システムとしては、電光板管理者が広告依頼者から直接広告用データを受信してディスプレーする個別管理システムと、有線又は無線の広告システムを利用して複数個の電光板にディスプレーされる広告用データを伝送するシステムと、があった。
【０００３】
図１Ａは、従来の遠隔地（リモートエリア）及び近距離地（ローカルエリア）制御無線広告システムを示した構成図であって、このシステムは、セルラーフォンやＰＣＳフォンなどの無線通信端末機１１及びパーソナル・コンピュータ（ＰＣ）１２などを利用した遠隔地メッセージ入力手段１０と、前記ＰＣ１２の通信を接続するＰＣ通信網２０と、前記遠隔地メッセージ入力手段１０及び前記ＰＣ通信網２０を利用した無線メッセージ情報を遠隔地に散在する電光板システムに伝送する一般無線通信網３０と、遠隔地にそれぞれ散在設置されて前記無線通信網３０を介して伝送されるメッセージを受信してディスプレーすると共に、現場で直接メッセージの入力及び修正を行い得るように構成された電光板システム１００と、前記遠隔地メッセージ入力手段１０からのメッセージ受信及び前記遠隔地メッセージ入力手段１０へのメッセージの伝送、前記各電光板システム１００にディスプレーされるメッセージのディスプレー、修正及び削除を行うために前記無線通信網３０に連結された前記ＰＣ通信網２０を介して接続設置されたメッセージ伝送管理サーバー４０とにより構成されている。
【０００４】
そして、前記メッセージ伝送管理サーバー４０は、前記遠隔地メッセージ入力手段１０から文字メッセージの入力を受けて遠隔地にそれぞれ散在する各電光板を必要とするグループ別に区分管理し、前記遠隔地メッセージ入力手段１０からの入力メッセージを、前記グループ別に無線通信網を利用して一括呼び出して、該当メッセージを伝送するように制御する。
【０００５】
また、ＰＣ通信網（インターネット）を介して接続される別途のサーバーを構築する場合、携帯電話などの前記無線通信端末機１１の信号は、前記無線通信網３０を介して前記管理サーバー４０に入力され、また、前記ＰＣ１２の入力データは前記ＰＣ通信網２０を介して前記管理サーバー４０に入力されるので、前記管理サーバー４０は、前記各メッセージを加工した後、前記無線通信網３０を介して前記電光板システム１００に伝送するように構成されている。
【０００６】
図１Ｂは、前記電光板システム１００の構成を示したものであって、このシステム１００は、無線信号を受信するように設定されてメッセージを受信する無線受信部１１０と、前記無線受信部１１０又はリモコン受信部１５２の受信信号を入力されて文字メッセージに復調する復調部１２１、前記復調部１２１により復調された文字メッセージ信号を格納する格納部１２２、及び、前記復調部１２１により復調された信号中、ステートメント制御命令を行うための識別符号を認識して前記格納部１２２に格納された文字メッセージをディスプレーさせるためのステートメント（文若しくは文章）に編集すると共に、ディスプレーされるメッセージなどのディスプレー順番及びディスプレー方法などを制御する編集及びディスプレー制御部１２３から成るディスプレー制御手段１２０と、前記ディスプレー制御手段１２０の制御により文字メッセージをディスプレーする電光板駆動部１３０と、ＬＥＤ電光板１４０と、文字の修正及び入力を行うためのリモコン１５１と、前記リモコン１５１からの信号を受信して前記ディスプレー制御手段１２０に入力することにより電光板の内容を修正又は挿入するためのリモコン受信部１５２とにより構成された、近距離地でメッセージの入力及び修正を直接行うためのリモコン入力手段１５０とを備えている。
【０００７】
一方、従来の無線広告システムは、携帯電話又はＰＣ通信網を利用して所定の電光板システムに文字メッセージを伝送し、このとき、前記文字メッセージは、スタートポイントからエンドポイントまでをリンクする識別記号、及び、メッセージのエンドポイントを知らせる識別記号を包含する。
【０００８】
また、ステートメントの反復、順序及び時間などは予めコード体系を定めておき、携帯電話又はＰＣ通信網を利用して伝送される文字メッセージに対して、ディスプレー方法に対するコード情報を一緒に伝送すると、前記電光板システム１００は該当コードを分析し、分析されたコードによって受信されたステートメントのディスプレー方法を決定して制御するようになる。また、複数の広告メッセージを適正な順番に反復しながら所望のメッセージをディスプレーする。
【０００９】
【発明が解決しようとする課題】
前記管理者が個別的に電光板を管理する場合、複数個の電光板を管理及び運営するときは、広告依頼者が依頼した広告の受付及びディスプレーの面で可成りの費用及び時間が要求され、前記電光板ごとに効率的な管理を行うことが困難である。
【００１０】
一方、前記無線広告システムを利用する運営システムは、前記電光板を介してディスプレーされる広告の場合は、文字メッセージの伝送面で優れた機能を有するが、実際には、主にディスプレーされる商業用ビデオ及びオーディオ広告などの入力を受けて処理して電光板駆動部に伝送することはできない。即ち、商業用ビデオ及びオーディオ広告などに対する入力、格納及びディスプレーを一括的に管理することはできない。
【００１１】
更に、各電光板からディスプレーされる広告の編集及びディスプレーに対する制御はできるが、実際に前記電光板駆動部１３０又は電光板１４０に障害が発生して前記格納部１２２から伝送された広告がディスプレーされない場合に対する解決策は提示されていない。
【００１２】
［発明の要約］
本発明は、前記問題点を解決するためになされたものであって、その目的は、インターネットを介してビデオ及びオーディオなどの広告を受付けた後に、広告依頼人が所望する場所の電光板及び時間に広告をディスプレーすることができる電光板運営システム及びその運営方法を提供することにある。
【００１３】
本発明の他の目的は、複数の電光板からディスプレーされる広告に対する目録を作成して管理を容易に行うことができる電光板運営プログラムを提供することにある。
【００１４】
本発明のその他の目的は、複数の電光板に実際にディスプレーされた広告に対する目録を作成して管理することにより、広告依頼者に対して広告費用に関する合理的な管理を行うことができる電光板運営システム及びその運営方法を提供することにある。
【００１５】
【課題を解決するための手段】
これらの目的及びその他の利点を達成するために、本発明の目的に応じてここで具現化及び明確に記載されるように、電光板運営コンピュータを有する電光板運営システムが備えられる。この電光板運営コンピュータは、電光板に広告すべき広告ファイルをネットワークを介して受信する入力手段と、前記広告ファイルを格納する第１格納手段と、この第１格納手段に格納された広告ファイルを処理し広告計画目録を作成して前記第１格納手段に格納する電光板運営プログラムが格納された第２格納手段と、前記広告ファイル及び電光板用の制御信号を伝送する出力手段と、前記電光板運営プログラムを実行して前記広告計画目録及び前記制御信号を生成する中央処理処置とを備えている。
【００１６】
上述の目的を達成するために、電光板を制御する電光板制御手段と、前記電光板制御手段に広告ファイル及び制御信号を伝送する電光板運営コンピュータとを備える電光板運営システムに適用される電光板運営方法において、前記電光板運営コンピュータが広告ファイルの入力を受けて格納するステップと、前記電光板運営コンピュータが広告受付データの入力を受けて格納するステップと、前記入力された広告ファイル及び広告受付データを包含する広告計画目録を作成して格納するステップと、前記広告計画目録によって前記広告ファイルをディスプレーするステップとを含むようにしている。
【００１７】
本発明の前述の及びその他の目的，形態，特徴、及び利点は、以下の本発明の詳細な説明を添付図面と関連させて考察することによってより明瞭になるであろう。なお、本発明の更なる理解を図るために本願に含まれており、かつ、本願明細書に組み込まれる添付図面は、本発明の実施形態、並びに、本発明の原理を説明するのに役立つ記載を示している。
【００１８】
【発明の実施の形態】
［発明の詳細な説明］
以下、本発明の好ましい実施形態につき添付図面に図示された実施例を参照して詳細に説明する。
【００１９】
図２は、本発明に係る電光板運営システムの構成を示している。
【００２０】
本発明に係る電光板運営システムにおいては、図２に示したように、インターネット２０と、該インターネット２０を介して各種データを伝送すると共に、下部の運営コンピュータを制御する電光板運営室コンピュータ２２と、広告を依頼する広告依頼者コンピュータ２１と、該広告依頼者コンピュータ２１又は前記電光板運営室コンピュータ２２から前記データの伝送又は入力を受ける第１電光板運営コンピュータ２３−１〜第Ｎ電光板運営コンピュータ２３−Ｎと、前記第１電光板運営コンピュータ２３−１が制御する第１電光板２３−１１〜第Ｍ電光板２３−１Ｍから前記第Ｎ電光板運営コンピュータが制御する第１電光板２３−Ｎ１〜第Ｌ電光板２３−ＮＬとを備えている。
【００２１】
そして、前記広告依頼者コンピュータ２１は、電光板にディスプレーすべき広告ファイル及び広告受付データを前記インターネット２０を利用して前記電光板運営室コンピュータ２２又は前記第１電光板運営コンピュータ２３−１〜第Ｎ電光板運営コンピュータ２３−Ｎに伝送する。
【００２２】
このとき、前記広告ファイルは、前記電光板を介してディスプレーされるテキスト、イメージ、動映像及びサウンドなどのデータを含むデータ形態を意味し、前記広告受付データは、広告依頼者、広告ディスプレー期間、広告ディスプレー時刻及び広告ディスプレー場所を含むデータ形態を意味するもので、例えば、前記広告依頼者は、前記広告依頼者の名称で、前記広告ディスプレー期間は、２０００年１２月１０日から２０００年１２月２９日までで、前記広告ディスプレー時刻は、毎時３０分から３３分までで、前記広告ディスプレー場所は、特定地域の全ての電光板又は特定の電光板である。
【００２３】
且つ、図３Ａは、前記電光板運営室コンピュータ２２又は前記各電光板運営コンピュータ２３−１〜２３−Ｎを示した構成図で、前記広告依頼者コンピュータ２１から前記インターネット２０を介して伝送される前記広告ファイル又は広告受付データの入力を受ける入力手段３０と、前記広告ファイルを圧縮するインコーダ３１と、前記圧縮された広告ファイル及び広告受付データの入力を受けて処理する中央処理処置３２と、前記広告ファイル及び広告受付データを格納する第１格納手段３３と、該第１格納手段３３に格納された広告ファイル及び広告受付データを処理して広告計画目録を生成して前記第１格納手段３３に格納するプログラムが格納された第２格納手段３４と、前記広告ファイルの圧縮を解除するデコーダ３５と、前記広告ファイル及び前記電光板に対する制御信号を伝送する伝送手段３６とを備えている。
【００２４】
このとき、前記広告ファイルは、圧縮ファイルの形態、例えば、ＭＰＥＧ−２ファイルの形態に入力され、もし、前記広告ファイルが前記ＭＰＥＧ−２ファイルの形態でない場合は、前記インコーダ３１によりＭＰＥＧ−２ファイルの形態に変換された後、前記デコーダ３５により本来の広告ファイルの形態に復元される。
【００２５】
図３Ｂは、前記第１電光板２３−１１〜第Ｌ電光板２３−ＮＬを示した構成図で、前記第１電光板運営コンピュータ２３−１〜第Ｎ電光板運営コンピュータ２３−Ｎから前記広告ファイル及び制御信号の伝送を受ける入力手段３０１と、前記広告ファイルを電光板にディスプレーさせると共に、前記制御信号の入力を受ける電光板制御手段３０２と、前記広告ファイルをディスプレーし前記制御信号により作動する電光板３０３と、前記電光板制御手段３０２から前記広告ファイルのディスプレー可否及び前記電光板の状態を伝送する出力手段３０４と、を備えて構成される。
【００２６】
前記電光板運営室コンピュータ２２又は前記各電光板運営コンピュータ２３−１〜２３−Ｎの中央処理処置（ＣＰＵ）３２は、前記第２格納手段３４に格納された電光板運営室プログラム又は電光板運営プログラムをそれぞれ実行させて前記広告ファイル及び広告受付データを含む前記広告計画目録を作成して前記第２格納手段３４に格納する。
【００２７】
このとき、前記広告計画目録は、前記広告ディスプレー場所（又は電光板）に応じて前記広告ファイルを分類し、このように分類された前記広告ファイルは、広告ディスプレー期間及び広告ディスプレー時刻の順に整列された広告ファイル及び広告受付データからなるデータである。
【００２８】
前記中央処理処置３２は、前記第２格納手段３４に以前に格納された広告計画目録がないと新たに生成し、もし、予め格納された広告計画目録がある場合は、前記広告ディスプレー期間及び広告ディスプレー時刻が経過された広告ファイル及び広告受付デートは削除し、新たに追加された広告ファイル及び広告受付デートを追加して更新することで新しい広告計画目録を作成する。
【００２９】
前記電光板運営室コンピュータ２２は、前記広告依頼者コンピュータ２１から広告ファイル及び広告受付データの入力を受けて前記広告計画目録を作成した後、該広告計画目録によって指定された前記第１電光板運営コンピュータ２３−１〜第Ｎ電光板運営コンピュータ２３−Ｎ中の一つ以上に前記広告計画目録を伝送することができる。
【００３０】
前記広告計画目録の受信時に、前記広告計画目録が伝送された電光板運営コンピュータは、前記電光板運営プログラムを利用して前記第２格納手段３４に格納された広告計画目録に前記伝送された広告計画目録に含まれた広告ファイル及び広告受付データを追加包含する新しい広告計画目録を生成する。
【００３１】
図４は、前記広告計画目録のデータ構造を示したもので、電光板目録（又は広告ディスプレー場所）４１、年目録４２、月目録４３、日目録４４及び広告ファイル４５により構成される。
【００３２】
前記各電光板運営コンピュータ２３−１〜２３−Ｎ及び電光板運営室コンピュータ２２は、前記広告依頼者コンピュータ２１から広告ファイル、広告ディスプレー期間、広告ディスプレー時刻及び広告ディスプレー場所を受信された後、前記電光板運営プログラム及び電光板運営室プログラムをそれぞれ実行させて前記広告ディスプレー場所（又は電光板）に応じて分類し、前記広告ディスプレー期間及び広告ディスプレー時刻によって前記広告ファイルを更に細かく分類して前記広告計画目録を作成する。
【００３３】
前記各電光板運営コンピュータ２３−１〜２３−Ｎは、前記広告計画目録に基づいて、前記第１電光板２３−１１〜第Ｌ電光板２３−ＮＬに広告ファイルを伝送する。
【００３４】
図５Ａは、前記電光板運用室コンピュータ２１に適用される電光板運営方法示したフローチャートである。
【００３５】
上述のフローチャートに示すように、電光板運営方法は、広告ファイル及び広告受付データの受信ステップ（Ｓ５０１）と、広告計画目録の作成ステップ（Ｓ５０２）と、広告計画目録の伝送ステップ（Ｓ５０３）とを含んでいる。なお、前記各ステップ（Ｓ５０１〜Ｓ５０３）は、上記の記載で説明されている。
【００３６】
図５Ｂは、前記各電光板運営コンピュータ２３−１〜２３−Ｎに適用される電光板運営方法を示したフローチャートである。
【００３７】
図示のように、電光板運営コンピュータ２３−１〜２３−Ｎの電光板運営方法は、広告ファイル及び広告受付データ又は広告計画目録の受信ステップ（Ｓ５１１）と、広告計画目録の作成ステップ（Ｓ５１２）と、広告ディスプレーステップ（Ｓ５１３）とを含んでいる。前記各ステップ（Ｓ５１１，Ｓ５１２）は上述しているので、以下、前記ステップ（Ｓ５１３）について説明する。
【００３８】
図５Ｃは、前記広告ディスプレーステップ（Ｓ５１３）を詳しく示したフローチャートである。
【００３９】
図示のように、前記広告ディスプレーステップ（Ｓ５１３）は、現在の時刻を測定するステップ（Ｓ５２１）と、前記現在の時刻が電光板運営時間内にあるか否かを判断するステップ（Ｓ５２２）と、前記広告計画目録における現在の日の仕事目録を探索するステップ（Ｓ５２３）と、現在時刻の広告ファイルを探索するステップ（Ｓ５２４）と、前記広告ファイルを伝送するステップ（Ｓ５２５）と、新規広告ディスプレー目録を生成するステップ又は現在の広告ディスプレーを更新するステップ（Ｓ５２６）とを含んでいる。
【００４０】
詳細には、前記ステップ（Ｓ５２１）において、前記各電光板運営コンピュータ２３−１〜２３−Ｎにおけるシステム時間に基づいて現在の時刻が測定される。
【００４１】
前記ステップ（Ｓ５２２）において、前記電光板の運営時間が特定されている場合があるので、現在の時刻が前記電光板運営時間内に属するかが判断される。
【００４２】
判断の際に、属しないと現在の時間が電光板運営時間の範囲内ではない場合には、再び前記ステップ（Ｓ５２１）に復帰する。一方、前記現在の時刻が電光板運営時間の範囲内である場合には、前記ステップ（Ｓ５２３）に進行して前記広告計画目録から現在の日に対応する仕事目録を探索して、前記ステップ（Ｓ５２４）で対応する仕事目録から前記現在の時刻に対応する広告ファイルを探索する。
【００４３】
前記各電光板運営コンピュータ２３−１〜２３−Ｎは、探索された前記広告ファイルを前記第１電光板〜第Ｌ電光板２３−１１〜２３−ＮＬの入力手段３０１に伝送し、前記電光板制御手段３０２は、前記広告ファイルを前記電光板３０３に伝送してディスプレーさせる（Ｓ５２５）。
【００４４】
そして、前記ステップ（Ｓ５２６）において、前記各電光板運営コンピュータ２３−１〜２３−Ｎは、前記広告ファイルを伝送した後、前記広告依頼者、前記広告ファイル及び広告ディスプレー回数を包含する広告ディスプレー目録を生成又は更新させる。
【００４５】
すなわち、前記広告依頼者が伝送した広告ファイルを最初にディスプレーした場合、前記電光板制御手段３０２は、前記出力手段３０４を介して前記広告ディスプレーの確認を意味する信号を前記各電光板運営コンピュータ２３−１〜２３−Ｎに伝送する。すると、電光板運営コンピュータ２３−１〜２３−Ｎは、前記信号を基準にして前記広告ファイルに対する前記広告ディスプレー回数を包含する広告ディスプレー目録を生成して前記第１格納手段３２に格納する。この場合、該第１格納手段３２に予め格納された広告ディスプレー目録が存在するときには、前記予め格納された広告ディスプレー目録を更新して格納する。
【００４６】
このようにすると、前記広告ディスプレー目録に基づいて、前記広告依頼者が依頼した広告ファイルが前記各第１電光板〜第Ｌ電光板２３−１１〜２３−ＮＬを介して実際にディスプレーされた回数を正確に算定することができる。
【００４７】
上述した構成の本発明に係る電光板運営システム及び電光板運営方法は、次のような効果を有している。
【００４８】
すなわち、まず第１の効果として、インターネットを介してビデオ及びオーディオなどのファイル形態で広告の要求を受付けたときに、広告依頼人が所望する電光板（一つ又はそれ以上の電光板）及び時間に広告をディスプレーし得るシステム及び方法を提供することができるという効果がある。
【００４９】
また、第２の効果として、前記電光板運営室コンピュータ及び電光板運営コンピュータは、電光板運営室プログラム及び電光板運営プログラムをそれぞれ実行させて、前記各電光板別にディスプレーされる広告計画目録及び前記各電光板にディスプレーされた広告ディスプレー目録を生成して格納するので、効率的な広告のディスプレー及び広告ディスプレーに対する信頼度を向上し得るという効果がある。
【００５０】
また、前記広告ディスプレー目録に基づき、前記広告依頼者に前記広告費用についての合理的で適正な請求及び管理を行い得るという効果がある。
【００５１】
本発明は、その精神及び本質的な特徴から逸脱することなくいくつかの形式で具現され得るので、上述の実施形態は前述の詳細な記載の何れによっても限定或いは特定されるものではなく、添付の請求の範囲に記載によって定義されるような本発明の精神及び範囲内において広い概念で構成されるべきであり、従って本発明の領域及び境界、或いはこれらと均等の範囲内における全ての変更及び修正が添付の請求の範囲の記載によって包含されるように意図されていることに留意されたい。
【図面の簡単な説明】
【図１】図１Ａは、従来の遠隔地及び近距離地制御無線広告システムを示した構成図、図１Ｂは、従来の電光板システムの構成図である。
【図２】本発明による電光板運営システムの構成図である。
【図３】図３Ａは、本発明による図２の電光板運営室コンピュータ２２又は各電光板運営コンピュータ２３−１〜２３−Ｎを示した構成図、図３Ｂは、本発明に係る図２の第１電光板〜第Ｌ電光板２３−１１〜２３−ＮＬを示した構成図である。
【図４】本発明による広告計画目録のデータ構造を示した図である。
【図５】図５Ａは、本発明による図２の電光板運用室コンピュータ２１に適用される電光板運営方法を示したフローチャート、図５Ｂは、本発明による図２の各電光板運営コンピュータ２３−１〜２３−Ｎに適用される電光板運営方法を示したフローチャート、図５Ｃは、図５Ｂの広告ディスプレーステップ（Ｓ５１３）を示したフローチャートである。
【図１Ａ】
2004504636.tif 000003
【図１Ｂ】
2004504636.tif 000004
【図２】
2004504636.tif 000005
【図３Ａ】
2004504636.tif 000006
【図３Ｂ】
2004504636.tif 000007
【図４】
2004504636.tif 000008
【図５Ａ】
2004504636.tif 000009
【図５Ｂ】
2004504636.tif 000010
【図５Ｃ】
2004504636.tif 000011
【国際公開パンフレット】
2004504636.tif 000012
2004504636.tif 000013
2004504636.tif 000014
2004504636.tif 000015
2004504636.tif 000016
2004504636.tif 000017
2004504636.tif 000018
2004504636.tif 000019
2004504636.tif 000020
2004504636.tif 000021
2004504636.tif 000022
2004504636.tif 000023
2004504636.tif 000024
2004504636.tif 000025
2004504636.tif 000026
2004504636.tif 000027
2004504636.tif 000028
2004504636.tif 000029
2004504636.tif 000030
2004504636.tif 000031
2004504636.tif 000032
2004504636.tif 000033
2004504636.tif 000034
2004504636.tif 000035
2004504636.tif 000036
2004504636.tif 000037
2004504636.tif 000038
2004504636.tif 000039
2004504636.tif 000040
2004504636.tif 000041
2004504636.tif 000042
2004504636.tif 000043
2004504636.tif 000044
2004504636.tif 000045
2004504636.tif 000046
2004504636.tif 000047
2004504636.tif 000048
【国際調査報告】
2004504636.tif 000049